【事件の表示】
　特願２０００−１９３２８８「遊技機」拒絶査定不服審判事件〔平成１３年　１月３０日出願公開、特開２００１−　２５５３８〕について、次のとおり審決する。
【結　論】
　本件審判の請求は、成り立たない。
【理　由】
１．手続の経緯・本願発明
　本願は、平成５年７月８日に出願された実願平５−３７３９０号の実用新案登録出願を特許法第４６条第１項の規定により特許出願に変更（特願平９−１７４１１９号）し、さらに特願平９−１７４１１９号の一部を新たな特許出願としたものであって、平成１６年６月２１日付けで拒絶査定がなされ、これに対し、同年７月２９日に拒絶査定に対する審判請求がなされたものであり、その請求項１に係る発明は、平成１６年８月３０日付けの手続補正書によって補正された明細書及び出願当初の図面の記載からみて、本願の特許請求の範囲の請求項１に記載されたとおりの次のものと認められる。（以下、「本願発明」という。）
「図柄表示装置の表示窓に顕示される特定図柄の変動表示を開始した後、その変動表示の表示結果が予め定めた表示結果になると入賞装置を開放する大当り制御を行うように構成された遊技機において、
　前記図柄表示装置は、複数個の前記特定図柄を表した複数の表示体と、該複数の表示体のそれぞれの背後に設けられ且つ前記表示窓に顕示される特定図柄を複数色のいずれかで照明する光源と、を備え、
　前記表示窓に顕示される複数の表示体の特定図柄が同一の図柄となったときと、前記表示窓に顕示される複数の表示体の特定図柄が前記光源によって同一色で照明されたときに、前記入賞装置を開放する大当り制御を行うことを特徴とする遊技機。」
　　　　　　　　　　　　　　　　　　　　　　　　　　　　　　　　　
２．引用発明
　原査定の拒絶の理由に引用された、本願の出願前に頒布された刊行物である特開平４−３４１２８８号公報（以下、「引用文献」という。）には以下の記載がある。
a．「複数の表示要素が表面に形成された回転部材を備えた可変表示装置において、前記回転部材を独立して回転する外側回転部材と内側回転部材とから構成し、該外側回転部材及び内側回転部材にそれぞれ複数の表示要素を形成すると共に、それぞれの回転部材が停止したときに外側回転部材に形成された表示要素と内側回転部材に形成された表示要素とで所定の識別情報を形成することが可能な可変表示装置。」（特許請求の範囲）
b．「可変表示装置１０は・・・遊技盤１の前面に取り付けられる取付装飾基板１１と、・・・遊技盤１の後面側に取り付けられ且つ・・・回転ドラム機構１６、１７等を収納するドラム収納箱１５とから構成されている。・・・また、取付装飾基板１１のほぼ中央には、長方形状の透視レンズ部１４が取り付けられ、後述する左ドラム機構１６、ディジタル表示器１８、及び右ドラム機構１７が透視し得るようになっている。」（段落【０００７】）
c．「・・・左ドラム機構１６と右ドラム機構１７の中間にディジタル表示器１８によって１つの図柄が表示されるようになっている。しかして、左ドラム機構１６、ディジタル表示器１８、及び右ドラム機構１７に表示される図柄の組合せのうち、いずれかの対角線上に表示される図柄が予め定めた図柄の組合せとなったときに、大当り遊技状態となるように設定されている。・・・」（段落【０００８】）
d．「ところで、左ドラム機構１６及び右ドラム機構１７は、外側回転ドラム３０、３０ａと内側回転ドラム３１、３１ａとの２つの回転ドラムを同心状に回転する構成を有する。・・・ドラム機構１６は、筒状の外側回転ドラム３０と該外側回転ドラム３０と同心状に配置される内側回転ドラム３１とを有する。外側回転ドラム３０は、前記ドラム収納箱１５の所定の位置に位置決めして装着されるモータ取付板３２に止着される駆動モータ３３（ステッピングモータ）のモータ軸３４に固着されている。・・・」（段落【００１０】）
e．「また、内側回転ドラム３１は、前記ドラム収納箱１５の所定の位置に位置決めして装着されるモータ取付板３６に止着される駆動モータ３７（ステッピングモータ）のモータ軸３８に固着されている。・・・このように外側回転ドラム３０と内側回転ドラム３１とは、異なる駆動モータ３３、３７によって独立して回転駆動されるようになっている。更に、モータ取付板３６の前方には、照射ランプ装置４０が取り付けられている。この照射ランプ装置４０は、前面が開放し且つ上下２つに区画されたランプ収容室４１ａ，４１ｂに照射ランプ４２ａ，４２ｂを収納する構造となっている。しかして、ランプ４２ａ，４２ｂは、・・・２つの図柄の後面を照射するように構成され、可変表示装置１０が可変表示しているときに点灯するようになっている。・・・更に、回転ドラム３０、３１は、少なくとも外周面が透過性のある材料で形成されている。」（段落【００１１】）
f．「・・・右ドラム機構１７の構成もこれと全く同じであり・・・左ドラム機構１６と線対称となるように右ドラム機構１７の外側回転ドラム３０ａを回転駆動する駆動モータがドラム収容箱１５の右側部に位置し、内側回転ドラム３１ａを回転駆動する駆動モータがドラム収容箱１５の中央部寄りに位置しているだけである。・・・」（段落【００１３】）
g．「・・・ドラム機構１６（１７）の回転ドラム３０（３０ａ）、３１（３１ａ）の外周表面には、それぞれ複数の表示要素が描かれている帯状のドラム表示情報５０、５１が貼付されている。外側回転ドラム３０に貼付されるドラム表示情報５０は、表示要素として・・・不透明生地５０ａに透明数値情報５０ｂが描かれている。また、内側回転ドラム３１に貼付されるドラム表示情報５１は、表示要素として・・・色彩の異なる着色フィルタ５１ａ〜５１ｃ（５１ａが赤色、５１ｂが青色、５１ｃが黄色）が区画して描かれている。しかして、外側回転ドラム３０と内側回転ドラム３１とが停止したときに左ドラム機構１６に表示される識別情報は、数値情報５０ｂに着色フィルタ５１ａ〜５１ｃのいずれかの色彩が施された識別情報となる。したがって、同じ数値情報であっても、色彩の異なる識別情報が表示される場合がある。つまり、回転ドラム３０、３１の停止時における外側回転ドラム３０の数値情報５０ｂと内側回転ドラム３１の着色フィルタ５１ａ〜５１ｃとによって識別情報の形態に各種の組合せが発生するため、外側回転ドラム３０と内側回転ドラム３１の両方が停止しない限りどのような識別情報が構成されるのかが分からず、遊技者の可変表示動作に対する興趣を強く引き付けることとなる。」（段落【００１４】）
h．「なお、上記した実施例では、外側回転ドラムと内側回転ドラムとからなるドラム機構（以下、Ｗドラム機構という）を２つ有し、ディジタル表示器を１つ有する可変表示装置１０を例示したが、すべてをＷドラム機構とした可変表示装置であっても良い・・・」（段落【００１７】）
　　　　　　　　　　　　　　　　　　　　　　　　　　　　　　　　　
　上記の記載より、引用文献には次の発明（以下、「引用発明」という。）が記載されていると認められる。
「複数の表示要素が表面に形成された回転部材を備えた可変表示装置において、前記回転部材を独立して回転する外側回転部材と内側回転部材とから構成し、該外側回転部材及び内側回転部材にそれぞれ複数の表示要素を形成すると共に、それぞれの回転部材が停止したときに外側回転部材に形成された表示要素と内側回転部材に形成された表示要素とで所定の識別情報を形成することが可能な可変表示装置であって、該可変表示装置１０は遊技盤１の前面に取り付けられる取付装飾基板１１と、遊技盤１の後面側に取り付けられ且つ回転ドラム機構１６、１７等を収納するドラム収納箱１５とから構成され、取付装飾基板１１のほぼ中央には、長方形状の透視レンズ部１４が取り付けられ、後述する左ドラム機構１６、ディジタル表示器１８、及び右ドラム機構１７が透視し得るようになっており、左ドラム機構１６と右ドラム機構１７の中間にディジタル表示器１８によって１つの図柄が表示され、左ドラム機構１６、ディジタル表示器１８、及び右ドラム機構１７に表示される図柄の組合せのうち、いずれかの対角線上に表示される図柄が予め定めた図柄の組合せとなったときに、大当り遊技状態となるように設定されているが、すべてを外側回転ドラムと内側回転ドラムとからなるドラム機構とした可変表示装置であっても良く、ドラム機構１６（１７）の回転ドラム３０（３０ａ）、３１（３１ａ）の外周表面には、それぞれ複数の表示要素が描かれている帯状のドラム表示情報５０、５１が貼付されており、外側回転ドラム３０に貼付されるドラム表示情報５０は、表示要素として不透明生地５０ａに透明数値情報５０ｂが描かれ、また、内側回転ドラム３１に貼付されるドラム表示情報５１は、表示要素として色彩の異なる着色フィルタ５１ａ〜５１ｃ（５１ａが赤色、５１ｂが青色、５１ｃが黄色）が区画して描かれており、可変表示装置１０が可変表示しているときに、ランプ収容室４１ａ，４１ｂに収納されたランプ４２ａ，４２ｂが点灯して図柄の後面を照射するように構成されており、外側回転ドラム３０と内側回転ドラム３１とが停止したときに左ドラム機構１６に表示される識別情報は、数値情報５０ｂに着色フィルタ５１ａ〜５１ｃのいずれかの色彩が施された識別情報となるものであり、同じ数値情報であっても、色彩の異なる識別情報が表示される場合があるから、回転ドラム３０、３１の停止時における外側回転ドラム３０の数値情報５０ｂと内側回転ドラム３１の着色フィルタ５１ａ〜５１ｃとによって識別情報の形態に各種の組合せが発生し、外側回転ドラム３０と内側回転ドラム３１の両方が停止しない限りどのような識別情報が構成されるのかが分からず、遊技者の可変表示動作に対する興趣を強く引き付けることとなる、弾球遊技機の可変表示装置。」
　　　　　　　　　　　　　　　　　　　　　　　　　　　　　　　　　
３．対比・判断
　本願発明と引用発明とを対比すると、引用発明における「可変表示装置」は本願発明における「図柄表示装置」に対応しており、同様に、「透視レンズ部１４」はその機能に照らすと「表示窓」に、「（透視レンズ部１４に）表示される」は「（表示窓に）顕示される」に、「数値情報５０ｂ」は「特定図柄」に、「外側回転ドラム３０（３０ａ）」は「表示体」に、「可変表示」は「変動表示」に、それぞれ対応しているとともに、引用発明における「弾球遊技機」は本願発明における「遊技機」に包含されるものであり、さらに引用発明について次のことがいえる。
　　　　　　　　　　　　　　　　　　　　　　　　　　　　　　　　　
(i) 引用発明は、「外側回転ドラム３０と内側回転ドラム３１」の「回転駆動」（摘示e．）に伴って、「可変表示装置」（本願発明における「図柄表示装置」に対応する。）の「透視レンズ部１４」（本願発明における「表示窓」に対応する。）に「表示」（本願発明における「顕示」に対応する。）される、「外側回転ドラム３０」（本願発明における「表示体」に対応する。）の「数値情報５０ｂ」（本願発明における「特定図柄」に対応する。）が「可変表示」（本願発明における「変動表示」に対応する。）を開始するものである。
　また引用発明は、「ドラム機構」（摘示h．）に「表示される図柄の組合せのうち、いずれかの対角線上に表示される図柄が予め定めた図柄の組合せとなったときに、大当り遊技状態となるように設定」（摘示c．）されており、当該構成は、本願発明における、「その変動表示の表示結果が予め定めた表示結果になると」の構成に対応するものといえる。
　さらに、この種の弾球遊技機（遊技機）は入賞装置を備えており、「大当り遊技状態となる」と、該入賞装置を開放する大当り制御を行うことは自明な事項であることから、同引用発明は「可変表示装置」（「図柄表示装置」）の「透視レンズ部１４」（「表示窓」）に「表示」（「顕示」）される「数値情報５０ｂ」（「特定図柄」）の「可変表示」（「変動表示」）を開始した後、その「可変表示」（「変動表示」）の表示結果が予め定めた表示結果になると入賞装置を開放する大当り制御を行うように構成された弾球遊技機（遊技機）であるといえる。
　そうすると、同引用発明は、本願発明における「図柄表示装置の表示窓に顕示される特定図柄の変動表示を開始した後、その変動表示の表示結果が予め定めた表示結果になると入賞装置を開放する大当り制御を行うように構成された遊技機」に対応する構成を備えているということができる。
　　　　　　　　　　　　　　　　　　　　　　　　　　　　　　　　　
(ii) 引用発明における「可変表示装置」（「図柄表示装置」）は、複数個の「数値情報５０ｂ」（「特定図柄」）を表した複数の「外側回転ドラム３０（３０ａ）」（「表示体」）を備えており、上記複数の「外側回転ドラム３０（３０ａ）」（「表示体」）の背後には、「表示要素として色彩の異なる着色フィルタ５１ａ〜５１ｃ（５１ａが赤色、５１ｂが青色、５１ｃが黄色）が区画して描かれ」た「内側回転ドラム３１」が設けられており、「外側回転ドラム３０と内側回転ドラム３１とが停止したとき」に「透視レンズ部１４」（「表示窓」）に「表示」（「顕示」）される「透明」な「数値情報５０ｂ」（「特定図柄」）は、「着色フィルタ５１ａ〜５１ｃのいずれかの色彩が施された識別情報となる」（摘示g．）ものであり、上記の「着色フィルタ５１ａ〜５１ｃ」は、「透明」な「数値情報５０ｂ」（「特定図柄」）を「複数色のいずれかに着色して表示する着色表示手段」であると包括的に表現することができる。
　一方、本願発明は、「前記図柄表示装置は、複数個の前記特定図柄を表した複数の表示体と、該複数の表示体のそれぞれの背後に設けられ且つ前記表示窓に顕示される特定図柄を複数色のいずれかで照明する光源と、を備え」ており、「特定図柄を複数色のいずれかで照明する光源」を「特定図柄」を「複数色のいずれかに着色して表示する着色表示手段」であると包括的に表現することができる。
　そうすると、本願発明と引用発明とは「前記図柄表示装置は、複数個の前記特定図柄を表した複数の表示体と、該複数の表示体のそれぞれの背後に設けられ且つ前記表示窓に顕示される特定図柄を複数色のいずれかに着色して表示する着色表示手段と、を備え」ている点で共通しているということができる。
　　　　　　　　　　　　　　　　　　　　　　　　　　　　　　　　　
(iii) 引用発明は、「外側回転ドラム３０と内側回転ドラム３１とが停止したときに左ドラム機構１６に表示される識別情報は、数値情報５０ｂに着色フィルタ５１ａ〜５１ｃのいずれかの色彩が施された識別情報となるものであり、同じ数値情報であっても、色彩の異なる識別情報が表示される場合があるから、回転ドラム３０、３１の停止時における外側回転ドラム３０の数値情報５０ｂと内側回転ドラム３１の着色フィルタ５１ａ〜５１ｃとによって識別情報の形態に各種の組合せが発生」（摘示g．）するものであり、「数値情報５０ｂ」と「着色フィルタ５１ａ〜５１ｃ」との「組合せ」によって上記(i)に記載したように、大当りが発生して入賞装置を開放する大当り制御を行うものである。そして、上記「数値情報５０ｂ」（「特定図柄」）と「着色フィルタ５１ａ〜５１ｃ」（上記(ii)に記載したように「着色表示手段」と包括的に表現できる。）とが大当りを発生する「組合せ」となったときを、「数値情報５０ｂ」（「特定図柄」）と「着色表示手段」（「着色フィルタ５１ａ〜５１ｃ」）とが「大当り制御を行うための所定の条件を満たしたとき」と包括的に表現することができる。そうすると、同引用発明は、「透視レンズ部１４」（「表示窓」）に「表示」（「顕示」）される複数の「外側回転ドラム３０（３０ａ）」（「表示体」）の「数値情報５０ｂ」（「特定図柄」）と、「透視レンズ部１４」（「表示窓」）に「表示」（「顕示」）される複数の「外側回転ドラム３０（３０ａ）」（「表示体」）の「着色表示手段」とが所定の条件を満たしたときに、入賞装置を開放する大当り制御を行う弾球遊技機（遊技機）、であると包括的に表現することができる。
　一方、本願発明は、「前記表示窓に顕示される複数の表示体の特定図柄が同一の図柄となったときと、前記表示窓に顕示される複数の表示体の特定図柄が前記光源によって同一色で照明されたときに、前記入賞装置を開放する大当り制御を行うことを特徴とする遊技機」であり、「前記表示窓に顕示される複数の表示体の特定図柄と、前記表示窓に顕示される複数の表示体の光源（上記(ii)に記載したように「着色表示手段」と包括的に表現できる。）とが所定の条件を満たしたときに、入賞装置を開放する大当り制御を行う遊技機」であると包括して表現することができる。
  そうすると、本願発明と引用発明とは「前記表示窓に顕示される複数の表示体の特定図柄と、前記表示窓に顕示される複数の表示体の着色表示手段とが所定の条件を満たしたときに、入賞装置を開放する大当り制御を行う遊技機」である点で共通しているということができる。
　　　　　　　　　　　　　　　　　　　　　　　　　　　　　　　　　
　以上の事項より、本願発明と引用発明とは以下の点で一致し、また、相違していると認められる。
一致点；
　図柄表示装置の表示窓に顕示される特定図柄の変動表示を開始した後、その変動表示の表示結果が予め定めた表示結果になると入賞装置を開放する大当り制御を行うように構成された遊技機において、前記図柄表示装置は、複数個の前記特定図柄を表した複数の表示体と、該複数の表示体のそれぞれの背後に設けられ且つ前記表示窓に顕示される特定図柄を複数色のいずれかに着色表示する着色表示手段と、を備え、前記表示窓に顕示される複数の表示体の特定図柄と、前記表示窓に顕示される複数の表示体の着色表示手段とが所定の条件を満たしたときに、入賞装置を開放する大当り制御を行う遊技機、である点。
                                            　　　　　　　　　　　 
相違点；
(A) 着色表示手段が、本願発明では複数色のいずれかで照明する光源であるのに対して、引用発明では内側回転ドラムの着色フィルタである点。
(B) 大当り制御を行うために、複数の表示体の特定図柄と複数の表示体の着色表示手段とが満たす所定の条件が、本願発明では、表示体の特定図柄が同一の図柄となったときと、特定図柄が光源によって同一色で照明されたときであるのに対して、引用発明では、外側回転ドラムの数値情報と内側回転ドラム３１の着色フィルタとの組合せによるものである点。
　　　　　　　　　　　　　　　　　　　　　　　　　　　　　　　　　
　上記の相違点について検討する。
　相違点(A)について
　可変表示（変動表示）する図柄を、複数色のいずれかで照明する光源により着色表示することは、原審における拒絶査定において例示（特開平４−５４９８０号公報（５頁右上欄６−８行、第１図））されたように周知技術（他に必要があれば、特開平４−９０７７７号公報（特許請求の範囲、第１図）、特開平４−１６１１８２号公報（特許請求の範囲、第１Ａ図）等があげられる。）であり、引用発明における内側回転ドラムの着色フィルタに代えて複数色のいずれかで照明する光源を用いることは、単なる設計事項にすぎない。
　　　　　　　　　　　　　　　　　　　　　　　　　　　　　　　　　
　相違点(B)について
　相違点(B)をさらにみると、本願発明は、「特定図柄」が「同一の図柄となったとき」と、「同一色で照明されたとき」とを「大当り制御を行う」ための条件として設定することにより、「特定図柄」が「同一の図柄となったとき」か、又は「同一色で照明されたとき」のいずれかにより「大当り制御を行う」ものであり、以下、本願発明における「大当り制御を行う」ための条件を「ＯＲ条件」という。
　これに対して、引用発明は、「数値情報」（「特定図柄」）と、「着色フィルタ」による「彩色」との「組合せ」により「大当り制御を行う」ものであり、以下、引用発明における「大当り制御を行う」ための条件を「ＡＮＤ条件」という。
　ところで、遊技機において、可変表示する「色」が同一になることを「当り制御を行う」ための条件設定に含ませることは周知例１ないし３として下記に例示するように適宜に行われている。
すなわち、例えば
数字表示が「ａ＝ｂ＝ｃ」のぞろ目となって「同一の図柄となったとき」に大当りとし、数字表示ａ、ｂ、ｃが（５，３，７）など「同一の図柄」にはならなかったときに、各数字表示ａ、ｂ、cにおける同じ場所のセグメントの発光色が同じとなっている箇所が１箇所でもあれば、数字表示ａ、ｂ、ｃの組合せいかんに関係なく、各数字表示ａ、ｂ、ｃのセグメントの発光色の共通性によって小当りとすることにより、同一の図柄となったときと、同一の発光色となったときとを当りの条件としたり（周知例１）、　　　　　
リール３〜５の各々を、外リール３ａ〜５ａと内リール３ｂ〜５ｂの二重構成とし、入賞ライン上における背景色だけの組み合わせ、シンボルだけの組み合わせで種々の入賞ランクを決めることととしたり（周知例２）、
遊技領域１３の全面に発光ダイオードディスプレイを設け、玉が遊技領域１３の４個の入賞口１１のいずれかに入ると、形状が自由に変化するとともに、配色が赤色、緑色、青色、黄色に変化する表示を行い、所定時間後に表示の変化を停止し、停止した表示が、同一色となって、例えば、全体が赤色一色で発光するときを大当りの条件とする（周知例３）等があげられ、
これらは、「図柄」の「種類」が同一となるか、又は図柄を照明する発光手段の発光色（あるいは図柄の背景色）が同一になるか、のいずれかにより「当り制御を行う」という、上記した「ＯＲ条件」による条件設定を行う（周知例１、２）ものや、発光手段の発光色が同一になることを「当り制御を行う」単独の条件設定とする（周知例３）もの等である。
　そうすると、「数値情報」（「特定図柄」）と、「着色フィルタ」による「彩色」という２つの可変要素を備えた、引用発明における「大当り制御を行う」ための条件設定を、２つの可変要素の「組合せ」（「ＡＮＤ条件」）の成立による設定に代えて、２つの可変要素の「いずれか」（「ＯＲ条件」）の成立による設定とし、「同一」の「図柄」となったときと、「同一色」に「彩色」されたときに大当り制御を行うこととすることは、当業者であれば容易に想到することができたものである。
　　　　　　　　　　　　　　　　　　　　　　　　　　　　　　　　　
　ここで、本願発明の効果として本願の明細書（段落【００３２】）には以下の記載がある。
「【発明の効果】
　本発明によれば、従来からある同一の特定図柄が揃った場合に加えて、発光源によって同一色の特定図柄が揃った場合も大当りになるという新規な変動（表示態様）を実現することができる。」
　また、審判請求人は、その審判請求書の補充書（第３−４頁、項目（ハ）（ニ））において以下の主張をしている。
「（ハ）まず、引用文献１に記載される発明において、大当りとなる場合は、・・・同じ数値（図柄）であってしかも同一色の図柄の場合だけである。・・・色彩は、表示体に描かれる図柄の一部を構成する要素として考えられています。このため、引用文献１に記載される発明においては、数値情報の一致だけではなく色彩も一致しなければ大当りとならない実施例しか記載されていません。逆に言えば、色彩単独で識別情報（図柄）を構成するという技術思想は開示も示唆もされていません。
（ニ）これに対し、・・・補正後の請求項１に係る発明においては、色彩単独で識別情報（図柄）を構成するという技術思想を取り入れたものであり、このような技術思想は、上記した引用文献１に開示も示唆もされていません。・・・」
　よって検討するに、上記したように、図柄と発光色という２つの可変要素のいずれかが同一（周知例１、２）となるか、発光色という単独の可変要素が同一（周知例３）となれば当り制御を行うことは周知であり、これらの周知技術を参酌すれば、引用発明における、「数値情報」と、「着色フィルタ」による「彩色」という２つの可変要素を備えた「大当り制御を行う」ための条件の設定を、２つの要素の「組合せ」（「ＡＮＤ条件」）の成立による設定に代えて、２つの要素の「いずれか」（「ＯＲ条件」）の成立による設定とすれば、従来からある同一の「図柄」が揃った場合に加えて、同一の「彩色」が揃った場合も大当りになるという変動（表示態様）を実現することができることを当業者は容易に予測するものである。
　すなわち、本願発明の効果も、引用発明及び周知技術から当業者が予測し得る範囲内のものであって、格別顕著なものとはいえない。
　　　　　　　　　　　　　　　　　　　　　　　　　　　　　　　　　
　したがって、本願発明は、周知技術を参酌し、引用発明に基いて当業者が容易に想到することができたものである。　　　　　　　　　　　　　　　　　　　　　　　　　　　　　　　　　　　　　　　　　　　　　　　　
【周知例】
周知例１：特開昭６３−２７７０７５号公報
　可変表示器３３の表示部Ａ、Ｂ、Ｃを構成する各セグメントには発光色の異なる２種以上の発光素子が設置され、可変表示器３３の変換作動が停止し数字表示ａ、ｂ、ｃが確定したときに数字表示が「ａ＝ｂ＝ｃ」のぞろ目であれば、大当りと呼ばれる特別な遊技態様の権利の発生とする他、「ａ＝ｂ＝ｃ」のぞろ目以外の数字表示のときは、各数字表示ａ、ｂ、cにおける同じ場所のセグメントの発光色が、第１１図に示すごとく、同じとなっている箇所が１箇所でもあれば小当りとすることにより、例えば、数字表示ａ、ｂ、ｃが（５，３，７）などとなった場合でも、数字表示ａ、ｂ、ｃの組合せ（ぞろ目は除く）いかんに関係なく、各数字表示ａ、ｂ、ｃのセグメントの発光色の共通性によって小当りを定めることができる、パチンコ遊技機の可変表示装置。（特許請求の範囲、第９頁右下欄第１０行−第１０頁右上欄第３行、第６、７、１１、１２図）
　　　　　　　　　　　　　　　　　　　　　　　　　　　　　　　　　
周知例２： 特開平４−４９９８８号公報
　 シンボル表示窓に複数のシンボル列を順次に移動表示し、シンボル列の移動表示が停止したときに入賞ラインで停止しているシンボルの組み合わせによって入賞の有無を表示し、リール３〜５の各々を、外リール３ａ〜５ａと内リール３ｂ〜５ｂの二重構成にするとともに、外リール３ａ〜５ａ及び内リール３ｂ〜５ｂには、「ブランク（空白）」、「スター」、「１ＢＡＲ」、「２ＢＡＲ」、「３ＢＡＲ」、「チェリー」等のシンボルを配列し、外リールの「ブランク」を通して内リールのシンボルが現れたり、また、外リールのシンボルと内リールのシンボルとを重ね合わせることによってシンボルの種類が変わるスロットマシンにおいて、外リール３ａ〜５ａあるいは内リール３ｂ〜５ｂのいずれかだけにシンボルを配列し、他方のリールについては背景色を施しておき、入賞ライン上における背景色だけの組み合わせ、シンボルだけの組み合わせ、さらには背景色とシンボルとの組み合わせで種々の入賞ランクを決めることも可能な、スロットマシン。（特許請求の範囲、第５頁左上欄第２０行−右上欄第６行、第１図）
　　　　　　　　　　　　　　　　　　　　　　　　　　　　　　　　　
周知例３：特開平３−２７５０８６号公報
　遊技領域１３の全面に発光ダイオードディスプレイを設け、玉が遊技領域１３の４個の入賞口１１のいずれかに入ると、表示設定手段３１からの表示指示信号によって、表示手段２１は、遊技領域１３の全面で、多数の単位の発光ダイオードが各単位ごとに赤色、緑色、青色で発光してＲＧＢ表色により、コンピュータグラフィックにより、形状が自由に変化するとともに、配色が赤色、緑色、青色、黄色に変化する表示を行い、所定時間後に表示の変化を停止し、停止した表示が、所定の賞出表示、例えば、全体が赤色一色で発光するとき、判断手段３２からの賞出信号によって、可動入賞口１２か、駆動されて開放する、遊技機。（特許請求の範囲、第４頁左上欄第３行−右上欄第９行、第１図）
　　　　　　　　　　　　　　　　　　　　　　　　　　　　　　　　　
４．むすび
　したがって、本願発明は、特許法第２９条第２項の規定により特許を受けることができない。
　よって結論のとおり審決する。